(57)【要約】【解決手段】立設した中心支柱２に対し可動支柱４を横方向に並べて横部材３により連結するとともに可動支柱４を中心支柱２の軸線２ａを中心に横部材３を介して回動し得るように立設し、中心支柱２と可動支柱４と横部材３とにより形成した門形部材１の内側に設けた窓１ａで物干し竿１０を架設し得る支持腕８を門形部材１の中心支柱２及び可動支柱４に設けた。【効果】門形部材１の回動により窓１ａの向きを適宜変更することにより、物干しとしての本来の機能を高めるばかりでなく、門形部材１を設置した庭等の外観に変化を与えて、物干し具に対し庭等の装飾用品としての別機能をも持たせることができる。また、可動支柱４により門形部材１の回動を安定させることができる。【選択図】図６
2010142469.tif 000002
【特許請求の範囲】
【請求項１】
立設した中心支柱に対し可動支柱を横方向に並べて横部材により連結するとともにこの可動支柱をその中心支柱の軸線を中心に横部材を介して回動し得るように立設し、この中心支柱と可動支柱と横部材とにより形成した門形部材の内側に設けた窓で物干し竿を支持し得る支持腕をこの門形部材に設けたことを特徴とする門形物干し具。
【請求項２】
前記支持腕は中心支柱と可動支柱とにそれぞれ設けられて互いに横方向に並べられ、中心支柱側の支持腕と可動支柱側の支持腕との間で物干し竿を架設し得ることを特徴とする請求項１に記載の門形物干し具。
【請求項３】
前記中心支柱は回動支持部上に立設されてその軸線回りで回動可能に支持されていることを特徴とする請求項１または請求項２に記載の門形物干し具。
【請求項４】
前記門形部材には柔軟シ−トを収容し得る収容部を設けてその収容部から柔軟シ−トを前記窓に引き出せるようにしたことを特徴とする請求項１または請求項２または請求項３に記載の門形物干し具。
【請求項５】
前記門形部材には載置台を設けたことを特徴とする請求項１から請求項４のうちいずれか一つの請求項に記載の門形物干し具。
【発明の詳細な説明】
【技術分野】
【０００１】
本発明は物干し具の形態の改良に関するものである。
【背景技術】
【０００２】
従来、下記特許文献１にかかる物干し具では、複数の物干し竿を外周に配設した一本の支柱が基台に対し回転自在に立設されている。
【特許文献１】実開昭６３−１２９５９３号公報
【発明の開示】
【発明が解決しようとする課題】
【０００３】
上記特許文献１にかかる物干し具は、一本の支柱の外周に複数の物干し竿を配設した構造を有しているに過ぎず、支柱を回動させても外観上は外周の各物干し竿だけが目立ち、物干しとしての本来の機能しか発揮することができない。
【０００４】
この発明は、物干し具としての機能を高めることを目的としている。
【課題を解決するための手段】
【０００５】
後記実施形態の図面（図１〜６）の符号を援用して本発明を説明する。
請求項１の発明にかかる門形物干し具においては、立設した中心支柱２に対し可動支柱４を横方向に並べて横部材３により連結するとともにこの可動支柱４をその中心支柱２の軸線２ａを中心に横部材３を介して回動し得るように立設し、この中心支柱２と可動支柱４と横部材３とにより形成した門形部材１の内側に設けた窓１ａで物干し竿１０を支持し得る支持腕８をこの門形部材１に設けた。請求項１の発明では、門形部材１の回動により窓１ａの向きを適宜変更することにより、物干しとしての本来の機能を高めるばかりでなく、門形部材１を設置した庭等の外観に変化を与えて、物干し具に対し庭等の装飾用品としての別機能をも持たせることができる。また、可動支柱４により門形部材１の回動を安定させることができる。
【０００６】
請求項１の発明を前提とする請求項２の発明において、前記支持腕８は中心支柱２と可動支柱４とにそれぞれ設けられて互いに横方向に並べられ、中心支柱２側の支持腕８と可動支柱４側の支持腕８との間で物干し竿１０を架設し得る。請求項２の発明では、門形部材１の窓１ａを有効利用して物干し竿１０を支持することができる。
【０００７】
請求項１または請求項２の発明を前提とする請求項３の発明において、前記中心支柱２は回動支持部５上に立設されてその軸線２ａ回りで回動可能に支持されている。請求項３の発明では、回動支持部５上に中心支柱２を立設して回動支持部５に対し回動可能に支持するだけの簡単な構造により、門形部材１を回動させることができる。
【０００８】
請求項１または請求項２または請求項３の発明を前提とする請求項４の発明において、前記門形部材１には柔軟シ−ト１２を収容し得る収容部１３を設けてその収容部１３から柔軟シ−ト１２を前記窓１ａに引き出せるようにした。請求項４の発明では、物干し具において柔軟シ−ト１２を各種目的に利用することができる。
【０００９】
請求項１から請求項４のうちいずれか一つの請求項の発明を前提とする請求項５の発明において、前記門形部材１には載置台１５を設けた。請求項５の発明では、物干し具において載置台１５を各種目的に利用することができる。
【発明の効果】
【００１０】
本発明は、物干しとしての本来の機能に庭等の装飾用品としての別機能をも持たせて、物干し具としての機能を高めることができる。
【発明を実施するための最良の形態】
【００１１】
以下、本発明の一実施形態に係る門形物干し具について図１〜６を参照して説明する。
図１に示す門形部材１は中心支柱２と横部材３と可動支柱４とにより互いに門形状に組まれ、この門形部材１の内側には中心支柱２と横部材３と可動支柱４との間で空間である窓１ａが形成されている。図２（ａ）に示すように、庭等の地面に埋設されたコンクリートからなる回動支持部５に支持孔６が形成されている。前記中心支柱２は、この回動支持部５の支持孔６に対し着脱可能に挿嵌されて立設され、軸線２ａ回りで回動可能に支持されている。この中心支柱２の上端部に前記横部材３の基端部が一体的に連結されている。前記可動支柱４は中心支柱２に対し横方向に並べられて立設され、この可動支柱４の上端部に横部材３の先端部が一体的に連結されている。この可動支柱４の下端部には車輪７が庭等の地面に接した状態で取り付けられている。この可動支柱４は中心支柱２の軸線２ａを中心に横部材３を介して３６０度範囲で回動し得る。この可動支柱４の回動位置の設定時には可動支柱４が庭等の地面に対しロックされて可動支柱４及びその車輪７が位置決めされる。
【００１２】
図１及び図３に示すように、前記中心支柱２と可動支柱４とには横部材３よりも下方で支持腕８が傾動支持部９により上下方向へ傾動可能に支持されて互いに横方向に並べられている。この両支持腕８には物干し竿１０を着脱可能に挿入して掛けるための複数の掛止孔１１が長手方向へ並設されている。この両支持腕８は、中心支柱２及び可動支柱４に沿って傾動支持部９から鉛直方向へ垂れ下がる不使用状態と、水平方向またはその水平方向よりも上方へ傾動支持部９から突出する使用状態とを取り得るように、傾動支持部９でロックされて位置決めされる。物干し竿１０はこの使用状態で互いに横方向に並ぶ両支持腕８間に架設される。
【００１３】
図１及び図４に示すように、前記中心支柱２と可動支柱４との間で横部材３の下側には柔軟シ−ト１２を巻いて収容し得る収容部１３が取り付けられている。この柔軟シ−ト１２が収容部１３に収容されて前記門形部材１内の窓１ａの全体が開放された状態で、柔軟シ−ト１２を収容部１３から窓１ａ側に引き出して適宜引出位置で柔軟シ−ト１２を収容部１３によりロックして位置決めすると、柔軟シ−ト１２により門形部材１内の窓１ａの全体または適宜高さまでの一部を閉塞することができる。この柔軟シ−ト１２を下方へ若干引いて収容部１３によるロックを外すと、柔軟シ−ト１２が収容部１３内のばねにより収容部１３に戻って収容される。
【００１４】
図１及び図５に示すように、前記中心支柱２と可動支柱４とには両支持腕８よりも下方で固定支持部１４が横方向に並べられている。この両固定支持部１４間に架設される載置台１５は、両固定支持部１４に対し着脱可能に連結される両端部材１６と、この両端部材１６に対し軸線１７ａを中心に回動可能に挿嵌される軸１７と、この軸１７に対し両端部材１６間で一体的に取着されたテーブル１８とを備えている。この載置台１５が中心支柱２及び可動支柱４の固定支持部１４から離脱されて前記門形部材１内の窓１ａの全体が開放された状態で、両端部材１６を両固定支持部１４に連結すると、載置台１５が使用状態となる。その使用状態で、軸１７を両端部材１６に対し軸線１７ａを中心に回動させると、テーブル１８は、軸１７から下方へ垂れ下がった状態と軸１７から水平に起きた状態とを取り得るように、両端部材１６でロックされて位置決めされる。
【００１５】
図６に示すように、使用状態で前記両支持腕８間に架設された物干し竿１０に前記柔軟シ−ト１２を引掛けて屋根として利用することもできる。そのほか、両支持腕８と柔軟シ−ト１２とテーブル１８とを互いに組み合わせた種々の使用状態で門形部材１を利用することができる。
【００１６】
本実施形態は下記の効果を有する。
＊  門形部材１の回動により窓１ａの向きを日光の向きに応じて適宜変更することにより、物干しとしての本来の機能を高めることができる。
【００１７】
＊  門形部材１の回動により窓１ａの向きを適宜変更することにより、門形部材１を設置した庭等の外観に変化を与えて、物干し具に対し庭等の装飾用品としての別機能をも持たせることができるとともに、門形部材１による遮光を防止して庭等に面した部屋へ日光を取り入れ易い。従って、物干し具としての機能を高めることができる。
【００１８】
＊  門形部材１は可動支柱４により支えられながら中心支柱２を中心に回動するので、門形部材１の回動を安定させることができる。
＊  物干し具において、柔軟シ−ト１２を各種目的、例えば、庭等に面した部屋への遮光や、庭等の上方を覆う屋根などに利用することができる。
【００１９】
＊  物干し具において、載置台１５を各種目的、例えば、洗濯物の載置や、庭等で食事をする場合における食品の載置などに利用することができる。
前記実施形態以外にも例えば下記のように構成してもよい。
【００２０】
・  図２（ｂ）に示すように、庭等の地面に敷設されたコンクリートに固定された台板１９上に中心支柱２を一体的に立設し、この中心支柱２の上端部に対し横部材３の基端部を回動支持部２０により回動可能に支持する。この場合も、可動支柱４は中心支柱２の軸線２ａを中心に横部材３を介して３６０度範囲で回動し得る。
【００２１】
・  可動支柱４を３６０度範囲ではなく、例えば１８０度範囲だけ回動し得るようにする。
・  物干し竿１０を両支持腕８に対し一体的に設ける。
【００２２】
・  載置台１５において両端部材１６を中心支柱２及び可動支柱４の固定支持部１４に対し一体的に設ける。
【図面の簡単な説明】
【００２３】
【図１】本実施形態にかかる門形物干し具の不使用状態を示す斜視図である。
【図２】（ａ）はこの門形物干し具において中心支柱が回動可能に立設された回動支持部を示す部分断面図であり、（ｂ）はこの門形物干し具の別例において中心支柱が立設された支持部と中心支柱に対する横部材の回動支持構造を示す部分断面図である。
【図３】この門形物干し具で物干し竿支持腕の使用状態を示す斜視図である。
【図４】この門形物干し具で柔軟シ−トの使用状態を示す斜視図である。
【図５】この門形物干し具で載置台の使用状態を示す斜視図である。
【図６】この門形物干し具で物干し竿支持腕と柔軟シ−トと載置台の使用状態を示す斜視図である。
【符号の説明】
【００２４】
１…門形部材、１ａ…門形部材の窓、２…中心支柱、２ａ…中心支柱の軸線、３…横部材、４…可動支柱、５…回動支持部、８…支持腕、１０…物干し竿、１２…柔軟シ−ト、１３…収容部、１５…載置台。
【図１】
2010142469.tif 000003
【図２】
2010142469.tif 000004
【図３】
2010142469.tif 000005
【図４】
2010142469.tif 000006
【図５】
2010142469.tif 000007
【図６】
2010142469.tif 000008